(57)【要約】【課題】可視光領域に感度を有する光電変換モジュールを用いて、可視光と赤外線の両方の読み取りを実施できるイメージセンサユニットおよび紙葉類識別装置を提供する。【解決手段】紙幣Ｓに光を照射し、紙幣Ｓで反射した反射光を受光して紙幣Ｓの画像を読み取る紙葉類識別装置のイメージセンサユニット１ａ，１ｂであって、赤外線を紙幣Ｓに照射する光源２と、紙幣Ｓからの反射光を可視光に変換する波長変換層１５と、波長変換層１５が変換した反射光を受光して電気信号に変換する光電変換モジュール１４１とを有し、波長変換層１５が紙幣Ｓと光電変換モジュール１４１との間に設けられる。【選択図】図２
2013030100.tif 000002
【特許請求の範囲】
【請求項１】
被照明体に光を照射して前記被照明体を読み取るイメージセンサユニットであって、
赤外線を照射する光源と、
赤外線を可視光に変換する波長変換層と、
光を受光して電気信号に変換する光電変換モジュールとを有し、
前記波長変換層は前記被照明体と前記光電変換モジュールとの間に設けられることを特徴とするイメージセンサユニット。
【請求項２】
前記波長変換層は、前記光電変換モジュールの表面に設けられることを特徴とする請求項１に記載のイメージセンサユニット。
【請求項３】
前記被照明体からの反射光を前記光電変換モジュールの表面に結像する結像素子をさらに備え、
前記波長変換層は、前記光電変換モジュールと前記結像素子との間に設けられることを特徴とする請求項１に記載のイメージセンサユニット。
【請求項４】
前記波長変換層は、前記結像素子の表面に設けられることを特徴とする請求項３に記載のイメージセンサユニット。
【請求項５】
前記被照明体からの反射光を前記光電変換モジュールの表面に結像する結像素子と、前記結像素子を覆うカバー部材とをさらに備え、
前記波長変換層は、前記結像素子と前記カバー部材との間に設けられることを特徴とする請求項１に記載のイメージセンサユニット。
【請求項６】
前記波長変換層と前記被照明体との間には、前記波長変換層が変換した可視光を遮断するフィルタが設けられることを特徴とする請求項１から５のいずれか１項に記載のイメージセンサユニット。
【請求項７】
紙葉類に光を照射して前記紙葉類を識別する紙葉類識別装置であって、
赤外線を照射する光源と、光を受光して電気信号に変換する光電変換モジュールと、前記紙葉類と前記光電変換モジュールとの間に設けられ赤外線を可視光に変換する波長変換層とを有するイメージセンサユニットを備えることを特徴とする紙葉類識別装置。
【請求項８】
前記波長変換層と前記紙葉類との間には、前記波長変換層が変換した可視光を遮断するフィルタが設けられることを特徴とする請求項７に記載の紙葉類識別装置。
【発明の詳細な説明】
【技術分野】
【０００１】
本発明は、イメージセンサユニットおよびイメージセンサユニットを用いた紙葉類識別装置に関する。特に、紙幣、有価証券等の記録媒体の真贋判定を行う紙葉類識別装置に関する。
【背景技術】
【０００２】
紙幣には、真贋の判定のために可視光下と赤外線下とで得られる画像が夫々異なるような領域が設けられている。このため、赤外線画像を読み取イメージセンサユニットが組み込まれた紙葉類識別装置が、たとえば、特許文献１または特許文献２に開示されている。
【先行技術文献】
【特許文献】
【０００３】
【特許文献１】特開平０６−２０３２４３号公報
【特許文献２】特開２００９−０５９２１４号公報
【発明の概要】
【発明が解決しようとする課題】
【０００４】
ところで、一般的な画像読取装置のイメージセンサユニットは、可視光領域には感度を有するが、赤外線領域には感度を有さない。このため、一般的な画像読取装置のイメージセンサユニットを、赤外線画像を読み取る紙葉類識別装置に適用することができない。したがって、一般的なイメージスキャナなど画像読取装置と、紙幣を扱う紙葉類識別装置とで、部品の共通化を図ることができない。
【０００５】
上記実情に鑑み、本発明が解決しようとする課題は、可視光領域に感度を有するが赤外線領域には感度を有しない光電変換モジュールによって、可視光領域と赤外線領域の両方の読み取りを実施する紙葉類識別装置のイメージセンサユニットを提供することである。
【課題を解決するための手段】
【０００６】
前記課題を解決するため、本発明は、被照明体に光を照射して前記被照明体を読み取るイメージセンサユニットであって、赤外線を照射する光源と、赤外線を可視光に変換する波長変換層と、光を受光して電気信号に変換する光電変換モジュールとを有し、前記波長変換層は前記被照明体と前記光電変換モジュールとの間に設けられることを特徴とする。
【発明の効果】
【０００７】
本発明によれば、被照明体の赤外線画像を、波長変換層によって可視光画像に変換して光電変換モジュールで受光し電気信号に変換できる。このため、可視光の領域に感度を有する光電変換モジュールによって、赤外線を用いる被照明体の読み取りを実施することができる。したがって、一般的なイメージスキャナに用いられるような、赤外線領域に感度を有さない光電変換モジュールが適用可能になる。
【図面の簡単な説明】
【０００８】
【図１】図１は、イメージセンサユニットの断面模式図である。
【図２】図２は、イメージセンサユニットの分解斜視図である。
【図３】図３は、イメージセンサユニットに設けられる光電変換モジュールの感度の特性と、波長変換層および波長変換部材の特性を示したグラフである。
【図４】図４は、フィルタを備えるイメージセンサユニットの断面模式図である。
【図５】図５は、フィルタを備えるイメージセンサユニットの分解斜視図である。
【図６】図６は、イメージセンサユニットの変形例を示した断面模式図である。
【図７】図７は、イメージセンサユニットの変形例を示した分解斜視図である。
【図８】図８は、イメージセンサユニットの変形例を示した断面模式図である。
【図９】図９は、イメージセンサユニットの変形例を示した断面模式図である。
【図１０】図１０は、イメージセンサユニットの変形例を示した断面模式図である。
【図１１】図１１は、紙葉類識別装置の構成を示した図である。
【発明を実施するための形態】
【０００９】
以下に、本発明の実施形態について、図面を参照して詳細に説明する。イメージセンサユニット１ａは、たとえば、被照明体である紙葉類としての紙幣Ｓを取り扱う紙葉類識別装置に組み込まれて用いられる。そして、イメージセンサユニット１ａは、紙幣Ｓの表面を可視光を用いて読み取ることができる。図１は、イメージセンサユニット１ａの断面模式図であり、図２は、イメージセンサユニット１ａの分解斜視図である。図１と図２に示すように、イメージセンサユニット１ａは、ケーシング１１と、光源２としての発光モジュール２１および導光部材２２と、ロッドレンズアレイ１７と、センサ基板１４と、カバー部材１３と、波長変換層１５とを有する。
【００１０】
ケーシング１１は、イメージセンサユニット１ａの筐体であり、たとえば、略棒状の構成を有し、樹脂材料により形成される。ケーシング１１の内部には、導光部材２２を収容可能な領域と、ロッドレンズアレイ１７を収容可能な領域と、センサ基板１４を収容可能な領域とが形成される。さらに、ケーシング１１の長手方向の端部には、発光モジュール２１を収容可能な領域が形成される。
【００１１】
光源２としての発光モジュール２１および導光部材２２は、紙幣Ｓに対して可視光および赤外線を照射できる。発光モジュール２１は、可視光を発する発光素子（たとえば、赤色ＬＥＤや緑色ＬＥＤや青色ＬＥＤ）と、赤外線を発する素子（たとえば、赤外ＬＥＤ）とを備える点光源が適用できる。なお、発光モジュール２１は、紙幣Ｓのフルカラー読み取りに必要な色の発光素子を備える構成でなくてもよく、たとえば、一色のみの発光素子を備える構成であってもよい。導光部材２２は、発光モジュール２１が発した可視光および赤外線を線状化して紙幣Ｓに照射する光学部材である。導光部材２２は、所定の断面形状を有する透明な棒状の部材であり、たとえば、アクリル系の樹脂材料や、ポリカーボネートなどにより形成される。導光部材２２の側面には、射出面２２１と反射面２２２とが形成される。射出面２２１は、紙幣Ｓに向かって光を照射する面である。反射面２２２は、光を反射・拡散しやすい表面性状を有する面である。反射面２２２には、たとえば、シルク印刷などにより光反射性の塗料からなるパターン（図略）が形成される。射出面２２１と反射面２２２とは、いずれも導光部材２２の長手方向に延伸する帯状の面であり、互いに対向する位置に形成される。
【００１２】
ロッドレンズアレイ１７は、紙幣Ｓで反射した可視光および赤外線を、センサ基板１４に設けられる光電変換モジュール１４１（後述）表面の図示しない受光部に結像させるための結像素子としての光学部材である。ロッドレンズアレイ１７は、紙幣Ｓからの可視光および赤外線が入射する入射面１７１と、光電変換モジュール１４１へ可視光および赤外線を射出する射出面１７２とが形成される。ロッドレンズアレイ１７は、たとえば、複数の正立等倍結像型の結像素子が直線状に配列される構成を有する。なお、このロッドレンズアレイ１７には、従来公知のロッドレンズアレイが適用できる。
【００１３】
センサ基板１４は、可視光を受光して電気信号に変換する光電変換モジュール１４１が実装される基板である。光電変換モジュール１４１は、可視光領域に感度を有する複数の光電変換素子を有し、これらの複数の光電変換素子が直線状に配列される構成を備える。なお、光電変換モジュール１４１に適用される光電変換素子は、赤外線領域に感度を有していなくてよい。したがって、光電変換モジュール１４１には、一般的なイメージスキャナなどといった画像読取装置に用いられる光電変換モジュールが適用できる。
【００１４】
カバー部材１３は、導光部材２２とロッドレンズアレイ１７とを覆うように設けられる部材である。そして、カバー部材１３は、導光部材２２とロッドレンズアレイ１７とを保護する機能や、シート状の紙幣Ｓに接して平面に維持する機能を有する。カバー部材１３は、平板状の部材であり、たとえば、ガラス板や透明な樹脂板などが適用できる。
【００１５】
波長変換層１５は、赤外線を可視光に変換する。たとえば、波長変換層１５には、赤外線によって励起して可視光を発するアップコンバージョン（周波数上方変換）蛍光材が適用できる。特に、１０００〜１５００ｎｍの波長領域の赤外線によって励起して、５００〜７５０ｎｍの波長領域の可視光を発する蛍光材が好適である。このような特性を有する蛍光材としては、たとえば、フッ化物微結晶が適用できる。そして、波長変換層１５は、紙幣Ｓと光電変換モジュール１４１との間（換言すると、紙幣Ｓに接するカバー部材１３と光電変換モジュール１４１との間）の可視光および赤外線の経路Ｌ上に設けられる。図１と図２においては、波長変換層１５が、光電変換モジュール１４１の表面に形成される構成を示す。波長変換層１５の形成方法としては、たとえば、光電変換モジュール１４１の表面に蛍光材を含有する塗料を塗布し、波長変換層１５としての蛍光剤の膜を形成する方法が適用できる。このほか、光電変換モジュール１４１の表面に、蛍光剤を含有する材料からなる部材（＝波長変換層１５としての部材）が配設される構成であってもよい。波長変換層１５としての部材には、たとえば、蛍光材を含有するガラスなどが適用できる。このように、波長変換層１５は、光電変換モジュール１４１の表面に一体に設けられる構成であってもよく、別部材として配設される構成であってもよい。
【００１６】
次に、イメージセンサユニット１ａの組み付け構成を説明する。導光部材２２とロッドレンズアレイ１７とは、互いに略平行に配設される。発光モジュール２１は、導光部材２２の長手方向の端面に対して可視光および赤外線を照射できるように配設される。このため、発光モジュール２１が発した可視光および赤外線は、導光部材２２の端面からその内部に入射する。導光部材２２の内部に入射した可視光および赤外線は、反射面２２２で反射・拡散などして、射出面２２１から紙幣Ｓに向かって射出する。導光部材２２の射出面２２１は、長手方向に延伸する帯状に形成されるから、発光モジュール２１が射出した可視光および赤外線は、導光部材２２によって線状化される。そして、カバー部材１３が、導光部材２２の射出面２２１と、ロッドレンズアレイ１７の入射面１７１とを覆うように配設される。ロッドレンズアレイ１７と、センサ基板１４に実装される光電変換モジュール１４１とは、それらの長手方向が略平行となるように配設される。そして、ロッドレンズアレイ１７の射出面１７２と、光電変換モジュール１４１とが対向する。
【００１７】
次に、イメージセンサユニット１ａの動作について説明する。発光モジュール２１の発光素子が発する可視光および赤外線は、導光部材２２によって線状化され、紙幣Ｓに照射される。紙幣Ｓの表面で反射した可視光および赤外線は、ロッドレンズアレイ１７の入射面１７１からその内部に入射し、射出面１７２からセンサ基板１４の光電変換モジュール１４１に向かって射出される。ロッドレンズアレイ１７の射出面１７２から射出された可視光は、波長変換層１５を透過して、光電変換モジュール１４１の受光部に結像する。光電変換モジュール１４１は、結像した可視光を受光して電気信号に変換する。一方、ロッドレンズアレイ１７の射出面１７２から射出された赤外線は、光電変換モジュール１４１の表面に設けられる波長変換層１５に達する。そして、波長変換層１５は、赤外線によって励起して可視光を発する（すなわち、赤外線を可視光に変換する）。光電変換モジュール１４１は、波長変換層１５が発する可視光を受光して電気信号に変換する。
【００１８】
そして、イメージセンサユニット１ａは、紙幣Ｓに可視光を照射して反射光を検出する動作と、紙幣Ｓに赤外線を照射して反射した赤外線によって励起された可視光を検出する動作とを、短時間で交互に繰り返す。イメージセンサユニット１ａは、このような動作によって、紙幣Ｓに設けられる所定のパターン（たとえば、ホログラム）を可視光画像として読み取るとともに、紙幣Ｓを赤外線画像として読み取る。
【００１９】
赤外線を用いた読み取り動作の詳細は、次のとおりである。図３は、光電変換モジュール１４１の感度特性と、波長変換層１５の蛍光特性（＝波長変換特性）との関係を示したグラフである。図３（ａ）に示すように、光電変換モジュール１４１は、４００〜７００ｎｍの領域に感度を有し、５３０ｎｍ近傍において感度のピークを有する。これに対して、図３（ｂ）に示すように、波長変換層１５は、１０００〜１５００ｎｍの波長の赤外線が照射されると励起して、５００〜７５０ｎｍの波長の可視光を発する。このように、波長変換層１５は、赤外線が照射されると、光電変換モジュール１４１の感度のピークの近傍の波長領域の可視光を発する。このため、可視光領域に感度を有する光電変換モジュール１４１によって、紙幣Ｓの赤外線画像を可視光画像として読み取ることができる。したがって、このイメージセンサユニット１ａと、一般的なイメージスキャナとで、光電変換モジュール１４１の共通化を図ることができる。
【００２０】
また、波長変換層１５により変換された可視光を遮断し、それ以外の波長領域の可視光および赤外線を透過するフィルタ１６が設けられる構成であってもよい。そこで、フィルタ１６を備えるイメージセンサユニット１ｂについて、図４と図５を参照して説明する。図４は、フィルタ１６を備えるイメージセンサユニット１ｂの構成を、模式的に示した断面図である。図５は、フィルタ１６を備えるイメージセンサユニット１ｂの構成を、模式的に示した分解斜視図である。なお、フィルタ１６を備えないイメージセンサユニット１ａと共通の構成については、同じ符号を付して記し、説明は省略する。
【００２１】
図４に示すように、イメージセンサユニット１ｂには、波長変換層１５と紙幣Ｓとの間の可視光および赤外線の経路Ｌ上に、フィルタ１６が設けられる。たとえば、図４に示すように、フィルタ１６は、光電変換モジュール１４１の表面に設けられる波長変換層１５と、ロッドレンズアレイ１７との間に設けられる。なお、このフィルタ１６は、波長変換層１５により変換された可視光を遮断し、それ以外の波長領域の可視光および赤外線を透過するものであればよく、構成は限定されない。フィルタ１６には、たとえば、公知の各種バンドカットフィルタが適用できる。
【００２２】
フィルタ１６を備えるイメージセンサユニット１ｂの動作は、基本的には、フィルタを備えないイメージセンサユニット１ａと同じである。そして、フィルタ１６は、波長変換層１５が発する可視光を、紙幣Ｓに到達しないように遮断する。具体的には、フィルタ１６は、５３０ｎｍ近傍の可視光を遮断し、それ以外の波長領域の可視光および赤外線を透過させることができる。このため、フィルタ１６は、波長変換層１５が発する可視光が紙幣Ｓに戻って反射して光電変換モジュール１４１に到達することを防止できる。したがって、光電変換モジュール１４１は、波長変換層１５から直接に到達する可視光のみを検出して電気信号に変換することができる。このような構成であると、赤外線を用いた読み取りの精度の低下を防止できる。
【００２３】
すなわち、波長変換層１５が発する可視光は無指向性であるため、フィルタ１６が設けられないと、波長変換層１５が発する可視光の一部が、紙幣Ｓに戻って反射してから光電変換モジュール１４１に到達する。そうすると、光電変換モジュール１４１は、波長変換層１５から直接に到達する可視光に、紙幣Ｓで反射した可視光が加算された可視光を受光する。この結果、光電変換モジュール１４１は、紙幣Ｓで反射した赤外線のレベルを正確に測定できなくなるおそれがある。特に、紙幣Ｓで反射する可視光が加算されるため、光電変換モジュール１４１で検出される可視光のレベルが高くなることがある。これに対して、フィルタ１６が設けられる構成であると、フィルタ１６によって、波長変換層１５が発する可視光が紙幣Ｓに戻って反射してから光電変換モジュール１４１に到達することを防止できる。したがって、紙幣Ｓで反射した赤外線のレベルを正確に測定することができる。すなわち、このような構成であれば、紙幣Ｓの表面で反射した赤外線を、波長変換層１５およびフィルタ１６を有さずに赤外線の領域に感度を有する光電変換モジュール１４１を用いて測定する構成と、同様の結果が得られる。
【００２４】
前述した波長変換層１５およびフィルタ１６の位置は一例であり、この位置に限定されるものではない。たとえば、波長変換層１５とフィルタ１６とが、図６〜図９に示す位置に設けられる構成であってもよい。図６と図７は、波長変換層１５が光電変換モジュール１４１の表面に設けられ、フィルタ１６がロッドレンズアレイ１７とカバー部材１３との間に配設される構成を示す。図８は、波長変換層１５がロッドレンズアレイ１７の射出面１７２の表面に形成され、フィルタ１６がロッドレンズアレイ１７とカバー部材１３との間に配設される構成を示す。図９は、波長変換層１５がロッドレンズアレイ１７の入射面１７１の表面に形成され、フィルタ１６がロッドレンズアレイ１７とカバー部材１３との間に配設される構成を示す。図６〜図９に示す構成は、いずれも、波長変換層１５が、光電変換モジュール１４１と紙幣Ｓとの間に設けられ、フィルタ１６が、波長変換層１５と紙幣Ｓとの間に配設される。なお、波長変換層１５は、同様に、光電変換モジュール１４１またはロッドレンズアレイ１７の表面に一体に設けられる構成であってもよく、別部材として配設される構成であってもよい。また、図６〜図９においては、波長変換層１５とフィルタ１６の両方が設けられる構成を示すが、フィルタ１６が設けられない構成であってもよい。
【００２５】
これらのように、光電変換モジュール１４１と紙幣Ｓとの間に、波長変換層１５が設けられる構成であればよい。さらに、波長変換層１５と紙幣Ｓとの間に、フィルタ１６が設けられる構成であればよい。そして、これらのような構成であれば、同様の作用効果を奏することができる。
【００２６】
なお、イメージセンサユニット１ａ，１ｂのうち、図示および説明を省略した部分については、従来公知のイメージセンサユニットと同じ構成が適用できる。
【００２７】
前述した実施形態においては、イメージセンサユニット１ａ，１ｂが紙幣Ｓで反射する可視光および赤外線を読み取る構成を示したが、紙幣Ｓを透過する可視光および赤外線を読み取る構成であってもよい。さらに、イメージセンサユニット１ａ，１ｂが、紙幣Ｓで反射する可視光および赤外線と、紙幣Ｓを透過する可視光および赤外線とを読み取ることができる構成であってもよい。
【００２８】
紙幣Ｓを透過する可視光および赤外線を読み取ることができる構成について、図１０を参照して説明する。図１０は、イメージセンサユニット１ｂによって紙幣Ｓを透過する可視光および赤外線を読み取る構成を示した図である。なお、図１０においては、フィルタ１６を備えるイメージセンサユニット１ｂが適用される構成を示したが、フィルタ１６を備えないイメージセンサユニット１ａが適用される構成であってもよい。図１０に示すように、イメージセンサユニット１ａ，１ｂに対向して光源ユニット５が配設されており、イメージセンサユニット１ａ，１ｂと光源ユニット５の間に紙幣Ｓを通過させることができる。この光源ユニット５は、紙幣Ｓに可視光および赤外線を照射できる光源６を備える。光源ユニット５の光源６には、イメージセンサユニット１ａ，１ｂの光源２と同じ構成が適用できる。たとえば、光源ユニット５の光源６は、可視光を発する発光素子と赤外線を発する素子とが実装されて点光源として機能する発光モジュール６１と、発光モジュール６１が発する可視光および赤外線を線状化する導光部材６２とを備える。そして、光源ユニット５は、可視光と赤外線を紙幣Ｓに照射することができる。光源ユニット５から照射された可視光および赤外線は、紙幣Ｓを透過し、イメージセンサユニット１ａ，１ｂのロッドレンズアレイ１７の入射面１７１に入射する。イメージセンサユニット１ａ，１ｂが紙幣Ｓを透過した可視光および赤外線を読み取る動作は、紙幣Ｓで反射した可視光および赤外線を読み取る動作と同じである。
【００２９】
イメージセンサユニット１ａ，１ｂは、光源ユニット５から紙幣Ｓに照射されて透過した可視光を検出する動作と、光源ユニット５から紙幣Ｓに照射されて透過した赤外線を検出する動作とを、短時間で交互に繰り返す。このような動作によって、イメージセンサユニット１ａ，１ｂは、紙幣Ｓを透過する可視光および赤外線を読み取ることができる。さらに、イメージセンサユニット１ａ，１ｂは、これら二つの動作と、紙幣Ｓに可視光を照射して反射光を検出する動作と、紙幣Ｓに赤外線を照射して反射した赤外線によって励起された可視光を検出する動作とを、短時間で周期的に繰り返してもよい。このような動作によって、イメージセンサユニット１ａ，１ｂは、紙幣Ｓを透過する可視光および赤外線と、紙幣Ｓで反射する可視光および赤外線を読み取ることができる。
【００３０】
次に、イメージセンサユニット１ａ，１ｂが適用される紙葉類識別装置３について、図１１を参照して説明する。紙葉類識別装置３は、紙幣Ｓなどの紙葉類に光を照射して反射光を読み取り、読み取った反射光を用いて、紙葉類を識別する。図１１に示すように、紙葉類識別装置３は、イメージセンサユニット１ａ（または、１ｂ）と、紙幣Ｓを搬送する搬送ローラー３１とを備える。そして、紙葉類識別装置３は、搬送ローラー３１どうしの間には、紙幣Ｓを挟んでカバー部材１３を介してイメージセンサユニット１ａ（または、１ｂ）上を読取方向（副走査方向）に搬送するための搬送路Ａが設定される。この時、ロッドレンズアレイ１７の紙幣Ｓ側の焦点は、搬送路Ａの略中央に設定されるものである。このような構成の紙葉類識別装置３の動作は、次のとおりである。紙葉類識別装置３に適用されるイメージセンサユニット１ａ，１ｂが、前述した動作によって、紙葉類としての紙幣Ｓに設けられる所定のパターンを可視光画像として読み取るとともに、紙幣Ｓを赤外線画像として読み取る。その後、紙葉類識別装置３は、予め用意された真券である紙幣Ｓに可視光および赤外線を照射することで得られた真券紙幣画像と、真贋判定時に判定対象となる紙幣Ｓに可視光および赤外線を照射することで得られた画像とを比較することで、紙幣Ｓの真贋判定を行う。これは、真券である紙幣Ｓには、可視光下と、赤外光下とから得られる画像がそれぞれ異なるような領域が設けられているためである。なお、説明および図示を省略した部分については、従来の紙葉類識別装置と同じ構成が適用できる。
【００３１】
以上、本発明の実施形態について図面を参照して説明したが、本発明はこれらの実施形態に何ら限定されるものではない。本発明は、発明の趣旨を逸脱しない範囲において種々の改変が可能である。たとえば、前述した実施形態においては、光源が、点光源である発光モジュールと、点光源を線光源化する導光部材とを備える構成を示したが、光源は、このような構成に限定されるものではない。光源は、点光源の発光素子が直列に配列される線光源などであってもよい。要は、光源は、被照明体の表面に対して、可視光と赤外線とを照射できる構成であればよい。さらに、前述した実施形態においては、イメージセンサユニットが一組の光源を備える構成を示したが、光源の数は限定されない。たとえば、イメージセンサユニットが二組の光源を備える構成であってもよい。
【００３２】
また、前述した実施形態においては、被照明体として紙幣が適用される構成を示したが、被照明体の種類は限定されるものではない。たとえば、被照明体として、各種有価証券や、ＩＤカードなどが適用できる。赤外線に反応する紙葉類であれば、種類を問わずに適用できる。
【産業上の利用可能性】
【００３３】
本発明は、イメージセンサユニットおよび紙葉類識別装置として有効な技術である。
【符号の説明】
【００３４】
１ａ，１ｂ：イメージセンサユニット、１１：ケーシング、１３：カバー部材、１４：センサ基板、１４１：光電変換モジュール、１５：波長変換層、１６：フィルタ、１７：ロッドレンズアレイ、２：光源、２１：発光モジュール、２２：導光部材、３：紙葉類識別装置
【図１】
2013030100.tif 000003
【図２】
2013030100.tif 000004
【図３】
2013030100.tif 000005
【図４】
2013030100.tif 000006
【図５】
2013030100.tif 000007
【図６】
2013030100.tif 000008
【図７】
2013030100.tif 000009
【図８】
2013030100.tif 000010
【図９】
2013030100.tif 000011
【図１０】
2013030100.tif 000012
【図１１】
2013030100.tif 000013